(57)【要約】【課題】  被処理液に磁界を作用させ、優れた磁化処理能力を発揮し得るマグネットフィルタを提案する。  【解決手段】  その相対する面の極性が同極となるように磁性摺動体１０に保持した複数の磁石１２間に、磁性体からなる介装部材１３を夫々に磁着して配設するマグネットフィルタ１としたから、非磁性ハウジングパイプ２内に作用する磁界を強くできる。また、非磁性ハウジングパイプ２に、磁性体からなる主スプリング８ａと、該主スプリング８ａの芯材９に対して巻回される磁性体からなる外包スプリング８ｂとからなる二重スプリング部材８で構成される螺旋案内部材７を内装するマグネットフィルタ１したから、当該螺旋案内部材７の磁化力を向上させ得る。而して、非磁性ハウジングパイプ２を流れる被処理液に対する磁化処理能力を向上させることができる。【選択図】  図１
2005131601.tif 000002
【特許請求の範囲】
【請求項１】
内部を被処理液が流れる非磁性ハウジングパイプの外側に、外筒部に複数の磁石をその相対する面の極性が同極となるようにパイプ軸方向に沿って保持してなる磁性摺動体を、軸方向に沿って摺動可能に配設すると共に、該非磁性ハウジングパイプ内に螺旋案内部材を内装してなるマグネットフィルタにおいて、
磁性摺動体に保持された相互に隣り合う磁石間に、磁性体からなる介装部材が夫々に磁着して配設されていることを特徴とするマグネットフィルタ。
【請求項２】
磁性摺動体が、相互に隣り合う磁石間に、筒内側方向に突成され、かつ両側磁石の内側端縁を被覆する幅広形状の鍔状突出部を有する磁性体からなる介装部材を配しているものであることを特徴とする請求項１に記載のマグネットフィルタ。
【請求項３】
内部を被処理液が流れる非磁性ハウジングパイプの外側に、外筒部に複数の磁石をその相対する面の極性が同極となるようにパイプ軸方向に沿って保持してなる磁性摺動体を、軸方向に沿って摺動可能に配設すると共に、該非磁性ハウジングパイプ内に螺旋案内部材を内装してなるマグネットフィルタにおいて、
前記螺旋案内部材を、パイプ軸方向に沿って螺旋状を成す磁性体からなる主スプリングと、該主スプリングの芯材に対して巻回される磁性体からなる外包スプリングとからなる二重スプリング部材で構成したことを特徴とするマグネットフィルタ。
【請求項４】
螺旋案内部材が、主スプリングと外包スプリングの螺回方向を同じとしてなるものであることを特徴とする請求項３に記載のマグネットフィルタ。
【請求項５】
内部を被処理液が流れる非磁性ハウジングパイプの外側に、外筒部に複数の磁石をその相対する面の極性が同極となるようにパイプ軸方向に沿って保持してなる磁性摺動体を、軸方向に沿って摺動可能に配設すると共に、該非磁性ハウジングパイプ内に螺旋案内部材を内装してなるマグネットフィルタにおいて、
前記磁性摺動体の摺動長さを、磁性摺動体長のほぼ二倍とすると共に、前記螺旋案内部材をパイプ軸方向のほぼ全体に亘って内装した非磁性ハウジングパイプを、磁性摺動体の外在する磁化処理部と、外在しない消磁部とに二分し、磁性摺動体の軸方向移動により磁化処理部と消磁部とに相対的に変換させるようにしたものであることを特徴とするマグネットフィルタ。
【発明の詳細な説明】
【技術分野】
【０００１】
本発明は、液体に磁界を作用させるものであって、燃料油の燃焼効率の改善、流体管路のスケール付着防止、濃縮液の結晶化抑制等に用いられるマグネットフィルタに関する。
【背景技術】
【０００２】
液体に磁界を作用させると、液中の凝集不純物が微粒状に分解、分散させられると共に、液体分子の帯電及び活性化が起こることが知られている。すなわち、流体が流動すると、自らの相互摩擦によって静電的に荷電する。この荷電体が磁場で運動すると、進行方向の流速は、荷電体の回転渦巻き運動に一部転換すると共に、荷電体同志の衝突が激しくなり、分子の活性化が起こる。そして荷電体が渦巻き運動すると、これによって新たに磁力線が発生することになり、この運動はますます複雑化し、活性化がより促進されることとなる。
【０００３】
このように、液体に磁界を作用させる構成として、非磁性ハウジングパイプの内側に、内部に複数の磁石をその相対する面の極性が同極となるように軸方向に沿って列設してなるマグネット収納用パイプが配設されると共に、該マグネット収納用パイプと非磁性ハウジングパイプとの間にリング状ヒネリ素子を配置し、被処理液を流す流体管路用空隙が形成されてなるマグネットフィルタが提案されている（例えば、特許文献１）。
【０００４】
また、本発明者は、内部を被処理液が流れる非磁性ハウジングパイプを、内側に磁性体を周設した磁気遮断部と、螺旋案内部材を内装した磁化処理部とに区分し、外筒内に複数の磁石をその相対する面の極性が同極となるように軸方向に沿って保持してなる磁性摺動体を、前記非磁性ハウジングパイプの外側に摺動可能に配設した構成を提案している（例えば、特許文献２）。かかる構成は、磁性摺動体を磁化処理部に位置してフィルタ処理を行った場合に、螺旋案内部材の表面に付着した鉄粉等を、該磁性摺動体を磁気遮断部に移動して磁化処理部の磁界を消す（消磁する）ことによって除去し、該磁化処理部を洗浄するようにしたものである。
【特許文献１】実公昭６０−２８５５９号公報
【特許文献２】実用登録２５３９２８０号
【発明の開示】
【発明が解決しようとする課題】
【０００５】
ところで、燃料油の燃焼効率の改善、流体管路のスケール付着防止等の効果を生ずる磁化処理は、液体分子の帯電及び活性化を促進することにより、その処理能力をさらに向上させることが可能である。ところが、上記従来のマグネットフィルタでは、この磁化処理能力に限界があり、さらに高い処理能力を発揮でき得るマグネットフィルタが求められている。
また、上記従来の、磁性摺動体の移動変換により洗浄処理を行うマグネットフィルタにあっても、さらなる洗浄機能の効率化が求められている。
本発明は、優れた磁化処理能力を発揮し得るマグネットフィルタを提案することを目的とするものである。
【課題を解決するための手段】
【０００６】
本発明の第一発明は、内部を被処理液が流れる非磁性ハウジングパイプの外側に、外筒部に複数の磁石をその相対する面の極性が同極となるようにパイプ軸方向に沿って保持してなる磁性摺動体を、軸方向に沿って摺動可能に配設すると共に、該非磁性ハウジングパイプ内に螺旋案内部材を内装してなるマグネットフィルタにおいて、磁性摺動体に保持された相互に隣り合う磁石間に、磁性体からなる介装部材を夫々に磁着して配設されていることを特徴とするマグネットフィルタである。
【０００７】
かかる構成にあって、相対する面の極性を同極とした磁石間に配された磁性体からなる介装部材は、両側磁石から受ける同極性の磁力によって両側の磁石に磁着されると共に、この極性（Ｎ極又はＳ極）に磁化されることとなる。これにより、両側磁石の相対する面と介装部材とから一体的な磁極が形成されることとなり、ここから発せられる磁力線を、磁性体からなる介装部材を配していない構成に比して増大させることができるから、非磁性ハウジングパイプ内に作用する磁界が強くなる。ここで、磁石は相対する面の極性が同極となるように配設されていることから、前記磁力線のつくる磁場の極性が軸方向に沿って交互に反転している。したがって、非磁性ハウジングパイプを流れる被処理液は、前記強い磁界の作用を受け、螺旋案内部材により渦流となって、磁化が促進される。これにより、液体分子の帯電及び活性化が一層向上する。而して、本発明のマグネットフィルタによれば、上述した従来のマグネットフィルタに比して、優れた磁化処理能力を発揮することができる。そして、本マグネットフィルタは、燃料油の燃焼効率の改善、流体管路のスケール付着防止、濃縮液の結晶化抑制等に優れた効果を発揮する。
【０００８】
また、上述したように、相互に隣り合う磁石は、相対する面の極性に介装部材を磁化し、一体的な磁極を形成する。このため、磁性体からなる介装部材を配していない構成のように、相互に隣り合う磁石が反発して互いの磁力を弱めるという作用が生じない。而して、本発明にかかる磁性摺動体にあっては、磁石の磁力低下が抑制され、長期間に渡って強い磁界を非磁性ハウジングパイプに安定的に作用させることができるものである。さらに、上述のように、磁性体からなる介装部材は、両側磁石に磁着することから、磁性摺動体の保持構成を比較的容易なものとすることができ、製造又はメンテナンスを行い易いという優れた利点も有する。
【０００９】
ここで、磁性摺動体が、相互に隣り合う磁石間に、筒内側方向に突成され、かつ両側磁石の内側端縁を被覆する幅広形状の鍔状突出部を有する磁性体からなる介装部材を配しているものであるとした構成が提案される。かかる構成にあっては、両側磁石の相対する面と介装部材とにより形成された一体的な磁極から発せられる磁力線を、該介装部材に形成された鍔状突出部から、該鍔状突出部の突成する筒内側方向に向かって集中的に出力させることができる。したがって、非磁性ハウジングパイプ内に一層強い磁界を生じさせえ、被処理液の磁化を一層促進させることができる。
【００１０】
一方、本発明の第二発明は、内部を被処理液が流れる非磁性ハウジングパイプの外側に、外筒部に複数の磁石をその相対する面の極性が同極となるようにパイプ軸方向に沿って保持してなる磁性摺動体を、軸方向に沿って摺動可能に配設すると共に、該非磁性ハウジングパイプ内に螺旋案内部材を内装してなるマグネットフィルタにおいて、前記螺旋案内部材を、パイプ軸方向に沿って螺旋状を成す磁性体からなる主スプリングと、該主スプリングの芯材に対して巻回される磁性体からなる外包スプリングとからなる二重スプリング部材で構成したことを特徴とするマグネットフィルタである。
【００１１】
かかる構成にあっては、螺旋案内部材を二重スプリング部材で構成したものとすることにより、主スプリングのみからなる単スプリング部材で構成した螺旋案内部材を用いた場合に比して、磁性摺動体から作用する磁力線によって磁化される磁化面積が増大することとなり、当該螺旋案内部材の磁化力を向上させることができる。而して、非磁性ハウジングパイプを流れる被処理液の、液体分子の帯電及び活性化を一層促進させることができ、マグネットフィルタの磁化処理能力が向上する。そして、本マグネットフィルタは、燃料油の燃焼効率の改善、流体管路のスケール付着防止、濃縮液の結晶化抑制等に優れた効果を発揮する。
【００１２】
ここで、 螺旋案内部材が、主スプリングと外包スプリングの螺回方向を同じとした構成が提案される。かかる構成により、主スプリングと外包スプリングとが互いの磁化作用を強め合うように働くこととなるから、当該螺旋案内部材の磁化力が一層高くなる。尚、螺回方向としては左巻きとすることが好ましい。
【００１３】
また、本発明の第三発明は、内部を被処理液が流れる非磁性ハウジングパイプの外側に、外筒部に複数の磁石をその相対する面の極性が同極となるようにパイプ軸方向に沿って保持してなる磁性摺動体を、軸方向に沿って摺動可能に配設すると共に、該非磁性ハウジングパイプ内に螺旋案内部材を内装してなるマグネットフィルタにおいて、前記磁性摺動体の摺動長さを、磁性摺動体長のほぼ二倍とすると共に、前記螺旋案内部材をパイプ軸方向のほぼ全体に亘って内装した非磁性ハウジングパイプを、磁性摺動体の外在する磁化処理部と、外在しない消磁部とに二分し、磁性摺動体の軸方向移動により磁化処理部と消磁部とに相対的に変換させるようにしたものであることを特徴とするマグネットフィルタである。ここで、磁性摺動体の摺動長さは、磁性摺動体長の二倍を越えるものをも含むものとする。
【００１４】
かかる構成にあっては、磁性摺動体を非磁性ハウジングパイプの軸方向に沿って移動することにより、該磁性摺動体が外在することによって上述した磁化処理が実行される磁化処理部と、外在しないことによって螺旋案内部材の磁力が消えて該螺旋案内部材に付着する鉄粉等を洗浄する消磁部とに変換させるようにしたものである。このため、非磁性ハウジングパイプで、磁化処理と洗浄処理とを同時に行うことも可能となり、当該マグネットフィルタは処理効率が向上することとなる。すなわち、かかる構成は、上述した従来の磁化処理部と磁気遮断部とを設けた構成の有する洗浄処理と磁化処理とを効率的に行い得るようにしたものである。また、この従来構成のように非磁性ハウジングパイプ内に磁性体を周設することもなく、製造費用を低減することが可能である。
【発明の効果】
【００１５】
本発明の第一発明は、その相対する面の極性が同極となるように磁性摺動体に保持された複数の磁石間に、磁性体からなる介装部材を夫々に磁着して配設するようにしたマグネットフィルタとしたから、磁性体からなる介装部材が両側磁石によって磁化されて一体的な磁極が形成されることとなり、ここから発せられる磁力線が、磁性体からなる介装部材を配しない構成に比して増大し、非磁性ハウジングパイプ内に作用する磁界が強くなる。したがって、非磁性ハウジングパイプを流れる被処理液の、液体分子の帯電及び活性化が一層向上し、優れた磁化処理能力を発揮することができる。また、磁性体からなる介装部材の両側磁石による、相対する同極同士で反発し互いに磁力低下する作用を抑制することができるため、長期間に渡って強い磁界を非磁性ハウジングパイプに作用させることができ、前記磁化処理能力を長期間安定的に発揮することができる。そして、本マグネットフィルタは、燃料油の燃焼効率の改善、流体管路のスケール付着防止、濃縮液の結晶化抑制等に優れた効果を発揮する。
【００１６】
ここで、磁性摺動体が、相互に隣り合う磁石間に、筒内側方向に突成され、かつ両側磁石の内側端縁を被覆する幅広形状の鍔状突出部を有する磁性体からなる介装部材を配している構成とした場合にあっては、上記した一体的な磁極から発せられる磁力線を、鍔状突出部から筒内側方向に向かって集中的に出力することができ、被処理液の磁化処理を一層促進できる。
【００１７】
一方、本発明の第二発明は、非磁性ハウジングパイプに、パイプ軸方向に沿って螺旋状を成す磁性体からなる主スプリングと、該主スプリングの芯材に対して巻回される磁性体からなる外包スプリングとからなる二重スプリング部材で構成される螺旋案内部材を内装するマグネットフィルタとしたから、該二重スプリング部材は、主スプリングのみの単スプリング部材に比して、磁力線の作用する磁化面積が増大し、当該螺旋案内部材の磁化力が向上するため、非磁性ハウジングパイプを流れる被処理液の、液体分子の帯電及び活性化を一層促進でき、優れた磁化処理能力を発揮できる。そして、本マグネットフィルタは、燃料油の燃焼効率の改善、流体管路のスケール付着防止、濃縮液の結晶化抑制等に優れた効果を発揮する。
【００１８】
ここで、 螺旋案内部材が、主スプリングと外包スプリングの螺回方向を同じとした構成にあっては、主スプリングと外包スプリングとが互いの磁化作用を強め合い、当該螺旋案内部材の磁化力が一層高くなる。
【００１９】
また、本発明の第三発明は、螺旋案内部材をパイプ軸方向のほぼ全体に亘って内装した非磁性ハウジングパイプの周囲で、磁性摺動体を体長のほぼ二倍とした摺動長さで移動させることにより、磁性摺動体の外在する磁化処理部と、外在しない消磁部とに相対的に変換させるマグネットフィルタとしたから、非磁性ハウジングパイプで、磁化処理と洗浄処理とを同時に行うことも可能となり、フィルタの処理効率が向上する。
【発明を実施するための最良の形態】
【００２０】
添付図面に従って本発明の一実施形態例を説明する。
図１は、本実施形態例のマグネットフィルタ１を示し、非磁性ハウジングパイプ２を主体として構成される。この非磁性ハウジングパイプ２の前端部内面には、該パイプ２を所要管路に連結するための雌螺子３が形成され、後端には、同じく雌螺子５が形成された環状の取付け金具４が外嵌固定されている。
【００２１】
そして、この非磁性ハウジングパイプ２内には、ほぼパイプ全長に亘って螺旋案内部材７が内装されている。この螺旋案内部材７は、その旋回により被処理液に螺旋流を生じさせて、流体の渦巻き運動を補完するものである。ここで、本実施形態例にあっては、螺旋案内部材７を、図２のように、パイプ軸方向に沿って螺旋状となる主スプリング８ａと、該主スプリング８ａの芯材９に対して巻回された外包スプリング８ｂとからなる二重スプリング部材８としている。そして、主スプリング８ａと外包スプリング８ｂとの各螺回方向を同一方向とする。ここで、主スプリング８ａと外包スプリング８ｂとは磁性体からなるものとしている。このように二重スプリング部材８とすることにより、主スプリング８ａだけを螺旋案内部材とする構成に比して、後述する磁性摺動体１０から作用する磁力線により磁化される磁化面積を大きくすると共に、主スプリング８ａと外包スプリング８ｂとの相互干渉により磁化力を向上することができる。尚、本実施形態例にあっては、外包スプリング８ｂが、主スプリング８ａの芯材９のほぼ全長に亘って連続的に巻回されているものとした。
【００２２】
この非磁性ハウジングパイプ２の外周には、磁性摺動体１０が外嵌される。この磁性摺動体１０は、外筒１１の内部に、複数の磁石１２と磁性体からなる介装部材１３とを軸方向に沿って交互に配設した磁気遮断筒１４が、前記磁性摺動体１０の後端側の内面に螺合した係止後端片１５と、該磁性摺動体１０の前端側に螺合した係止前端片１６とで保持されてなる。ここで、前記磁石１２は、その相対する面の極性が同極となるように列設され、磁石間に配された磁性体からなる介装部材１３が、その両側磁石１２，１２から受ける同極性の磁力によって該両側磁石１２，１２に磁着されている。このように、複数の磁石１２と該磁石間に配した介装部材１３とが夫々に磁着されて一体的に形成できることから、複数の磁石１２と介装部材１３とを交互に配した構成を保持するために両側から挟持する等の構成を必要とせず、外筒１１の内部に収められて磁性摺動体１０を構成できる。尚、本実施形態例にあっては、磁性体からなる介装部材１３を鉄製としている。
【００２３】
そして、この磁性体からなる介装部材１３は、図３のように、筒内側方向に突成する幅広状の鍔状突出部１７を有している。この鍔状突出部１７は、その鍔部１８により両側の磁石１２，１２の磁着位置を固定できると共に、該磁石１２，１２の内側端縁を被覆している。このように磁石間に配した介装部材１３は、両側磁石１２，１２から受ける磁力によって同極性に磁化され、両側磁石１２，１２の相対する面と介装部材１３とから一体的な磁極が形成されることとなる。この磁極から発せられる磁力線は、同じ磁石１２を列設し、磁性体からなる介装部材１３を配していない構成とした場合に比して増大する。そして、この磁力線は主に、介装部材１３に形成された鍔状突出部１７から、その突出方向（すなわち筒内側方向）に向かって発せられることとなり得る。また、磁石間に磁性体からなる介装部材１３を配した本構成は、磁性体からなる介装部材１３を介在させない構成のように、相対する同磁極が反発して互いの磁力を弱めるという作用が生じない。このため、磁石の磁力低下が抑制され、長期間に渡って一定の磁力線を発することができる。而して、マグネットフィルタ１の磁化処理能力が、長期間安定的に発揮できることとなる。
【００２４】
このような磁性摺動体１０は、非磁性ハウジングパイプ２のパイプ長に対して約半分の長さとし、磁性摺動体１０の摺動距離が、当該磁性摺動体１０の長さのほぼ二倍となるようにしている。この磁性摺動体１０を、図４（イ）のように、その後端が取付け金具４に当接する位置とした場合には、該磁性摺動体１０の外在する部分、すなわち非磁性ハウジングパイプ２の後半部分が磁化処理部ｘとなり、磁性摺動体１０の外在しない前半部分が消磁部ｙとなる。一方、磁性摺動体１０を、図４（ロ）のように、非磁性ハウジングパイプ２の前縁に嵌着した係止リング２０で前端が係止された位置とした場合には、非磁性ハウジングパイプ２の後半部分が磁性摺動体１０の外在しない消磁部ｙとなり、前半部分が磁性摺動体１０の外在する磁化処理部ｘとなる。そして、このように磁性摺動体１０をパイプ軸方向に沿って摺動可能とすることにより、非磁性ハウジングパイプ２の前後各半分が相対的に磁化処理部ｘと消磁部ｙとに変換されるようになっている。
【００２５】
次に、上述したマグネットフィルタ１の作用について説明する。
マグネットフィルタ１を上流では雌螺子３に、下流では雌螺子５に夫々管路３０，３１を螺着して所要流路に介装し、被処理液をその口端から流入する。そして、図４（イ）のように、磁性摺動体１０をその後端が取付け金具４に当接する位置として、非磁性ハウジングパイプ２の後半部分を磁化処理部ｘとし、前半部分を消磁部ｙとする。ここで、磁化処理部ｘでは、介装部材１３と該介装部材１３に磁着する両側磁石１２，１２の相対面とから形成された一体的な磁極により、該介装部材１３の鍔状突出部１７から筒内側方向に発せられる磁力線がパイプ軸方向に沿って交互に極性の反転する強い磁場を形成している。そして、この強い磁場が、螺旋案内部材７の該磁化処理部ｘに内在する部分に作用する。ここで、螺旋案内部材７は上述のように、磁力線の作用する磁化面積が大きい二重スプリング部材８から構成されていることから、非磁性ハウジングパイプ２を透過した磁界により該二重スプリング部材８の磁化処理部ｘに内在する部分が、非磁性ハウジングパイプ２内を流れる被処理液内で激しく振動して磁界を乱し、該液体の磁化が促進されることとなる。このように磁性摺動体１０から発せられる磁力線と、磁力線の作用する大きな磁化面積を有する螺旋案内部材７とによって、非磁性ハウジングパイプ２内を流れる被処理液を帯電及び活性化する作用が極めて大きくなる。而して、本マグネットフィルタ１は、上述した従来構成のマグネットフィルタに比して、優れた磁化処理能力を発揮することができ、燃料油の供給管路にマグネットフィルタ１を付装した場合には、その燃焼効率を向上させたり、又は管路のスケールの付着防止等に高い有益性を発揮し得る。尚、非磁性ハウジングパイプ２の前半部分の消磁部ｙでは、磁性摺動体１０からの磁力線の作用が極めて小さく、磁界が消去された状態と同等の状態となる。このため、消磁部ｙでは、上述したような磁化処理が行われずに、前記磁化処理部ｘで磁化処理された液体が通過することとなっている。
【００２６】
ところで、この磁化処理を継続すると、磁化処理部ｘでは、常時磁界の作用を受け、被処理液中の鉄粉等が磁化して螺旋案内部材７に接合し、堆積してその流動効率が悪くなる。そこで、適宜に磁性摺動体１０を、図４（ロ）のように、パイプ軸方向に沿って移動して、非磁性ハウジングパイプ２の前縁に嵌着した係止リング２０で前端が係止された位置とする。これにより、非磁性ハウジングパイプ２の前半部分が磁化処理部ｘとなり、後半部分が消磁部ｙとなる。ここで、消磁部ｙとなった後半部分では、磁性摺動体１０から作用する磁力線の影響が消え、螺旋案内部材７に付着した鉄粉が消磁されて、該螺旋案内部材７との接合力が失われ、被処理液の流動に伴って流下して、この非磁性ハウジングパイプ２の後半部分が洗浄される。一方、磁化処理部ｘとなった前半部分では、上述のように磁性摺動体１０から作用する磁界により磁化処理が行われることとなる。このため、前記後半部分の消磁部ｙで行なわれた洗浄処理で流下した鉄粉が、被処理液と共に、この磁化処理部ｘで磁化処理されることとなる。すなわち、非磁性ハウジングパイプ全体で、洗浄処理と磁化処理とを同時に行うことが可能となり、各処理を効率的に行い得る。
【００２７】
また、同様に、非磁性ハウジングパイプ２の後半部分の磁化処理部ｘで、螺旋案内部材７に鉄粉が堆積した場合には、再び磁性摺動体１０を非磁性ハウジングパイプ２の前半部分に移動して磁化処理部ｘと消磁部ｙとを変換する。この場合には、下流に消磁部ｙがあることから、洗浄処理を一定時間行うことが必要となる。尚、磁性摺動体１０を、非磁性ハウジングパイプ２の前半部分と後半部分とに存在させる時間を適切に設定することにより、磁化処理と洗浄処理とを一層効率的に行うことが可能である。
【００２８】
その他、この磁性摺動体１０の移動変換は、前記非磁性ハウジングパイプ２の外周面と、磁石１２内面間に油等が付着した場合にも行なわれ、油膜によって磁石１２の磁力が減殺された場合に対応することができる。
【００２９】
本発明のマグネットフィルタ１は、上述したように、非磁性ハウジングパイプ２を流れる被処理液の液体分子の帯電及び活性化を促進でき、上述した従来構成に比して優れた磁化処理能力を発揮することができるものである。したがって、本マグネットフィルタ１は、燃料油の燃焼効率の改善、流体管路のスケール付着防止、濃縮液の結晶化抑制等の効果に優れ、これら用途に好適に用いることができる。ここで、スケール付着防止としては、被処理液の液体分子が、流通管路や、他のフィルタやセパレータ等に付着することを防止できる効果である。例えば、限外ろ過膜や精密ろ過膜等の前処理として本マグネットフィルタ１を配することにより、これらろ過膜へのスケール付着を防止でき、ろ過膜の寿命を延ばすことが可能となる。一方、濃縮液の結晶化抑制としては、所定の処理機能により濃縮された濃縮液（被処理液）から、液体分子が結晶化して析出することを抑制できる効果である。例えば、逆浸透膜により濃縮された濃縮液（被処理液）から、シリカやカルシウム属等の液体分子が結晶化することを抑制できる。これは、これら結晶化した成分が流通管路や貯留タンクに付着したり滞留することの防止に繋がる。そして、本マグネットフィルタ１により濃縮液の液成分が結晶化することを抑制できることから、該濃縮液を希釈する溶液等を用いる必要が無いという優れた利点もある。
【図面の簡単な説明】
【００３０】
【図１】本発明にかかるマグネットフィルタ１を表す縦断側面図である。
【図２】本発明にかかる螺旋案内部材７を表す側面図である。
【図３】磁性摺動体１０の、複数の磁石１２と磁性体からなる介装部材１３との配設状態を表す説明図である。
【図４】磁性摺動体１０を、磁化処理部ｘと消磁部ｙとに移動変換した状態を表す説明図である。
【符号の説明】
【００３１】
１  マグネットフィルタ
２  非磁性ハウジングパイプ
７  螺旋案内部材
８  二重スプリング部材
８ａ  主スプリング
８ｂ  外包スプリング
１０  磁性摺動体
１１  外筒
１２  磁石
１３  介装部材
１７  鍔状突出部
ｘ  磁化処理部
ｙ  消磁部
【図１】
2005131601.tif 000003
【図２】
2005131601.tif 000004
【図３】
2005131601.tif 000005
【図４】
2005131601.tif 000006